(57)【要約】【課題】録画方式が変更されたコンテンツデータを容易に把握することができる録画装置、及び方法を提供する。【解決手段】ループ録画部１０６は、一定の時間が経過するとデータが消去されるループ録画方式でＨＤＤ１１０に第１コンテンツデータを録画する。ＰＶＲ録画部１０７は、通常の録画方式であるＰＶＲ録画方式でＨＤＤ１１０に第２コンテンツデータを録画する。変更部１０８は、第１コンテンツデータの録画方式をＰＶＲ録画方式に変更する。表示制御部１１５は、ループ録画方式で録画されたコンテンツデータの一覧、又はＰＶＲ録画方式のコンテンツデータの一覧を表示部１２０に表示する際に、第１コンテンツデータを他のコンテンツデータと異なる表示態様で表示する。【選択図】図１
2011055550.tif 000002
【特許請求の範囲】
【請求項１】
複数の第１コンテンツデータを同時に記憶媒体に録画する第１録画方式を有する第１録画部と、
１つの第２コンテンツデータを前記記憶媒体に録画する第２録画方式を有する第２録画部と、
前記記憶媒体に録画されている前記複数の第１コンテンツデータのうちの所定コンテンツデータを、新たな第２コンテンツデータとして前記記憶媒体に記録する変更部と、
前記変更部が前記新たな第２コンテンツデータとして前記記憶媒体に記録後に第１コンテンツデータの一覧を表示部に表示する際に、前記所定コンテンツデータを他の第１コンテンツデータと異なる表示態様で表示、又は前記新たな第２コンテンツデータを前記記憶媒体に記録後に第２コンテンツデータの一覧を表示部に表示する際に、前記新たな第２コンテンツデータを他の第２コンテンツデータと異なる表示態様で表示する表示制御部と、
を備えることを特徴とする録画装置。
【請求項２】
前記表示制御部は、前記新たな第２コンテンツデータの記録後に前記第１コンテンツデータの一覧を前記表示部に表示する際に、前記所定コンテンツデータにシンボルを付して表示することを特徴とする請求項１に記載の録画装置。
【請求項３】
前記表示制御部は、前記新たな第２コンテンツデータの記録後に前記第２コンテンツデータの一覧を前記表示部に表示する際に、前記新たな第２コンテンツデータにシンボルを付して表示することを特徴とする請求項１又は２に記載の録画装置。
【請求項４】
前記第１録画部は、前記第１録画方式で録画を行う時間帯の指定を受け付け、前記時間帯内にチューナ部に受信される複数の第１コンテンツデータを、前記第１録画方式で録画することを特徴とする請求項１〜３のいずれか１つに記載の録画装置。
【請求項５】
前記第１録画部は、更に、前記第１録画方式で録画を行う複数のチャンネルの指定を受け付け、前記時間帯内にチューナ部に受信される前記複数のチャンネルの前記複数の第１コンテンツデータを、前記第１録画方式で録画することを特徴とする請求項４に記載の録画装置。
【請求項６】
第１録画部が、第１録画方式で複数の第１コンテンツデータを同時に記憶媒体に録画する第１録画ステップと、
第２録画部が、第２録画方式で１つの第２コンテンツデータを前記記憶媒体に録画する第２録画ステップと、
変更部が、前記記憶媒体に録画されている前記複数の第１コンテンツデータのうちの所定コンテンツデータを、新たな第２コンテンツデータとして前記記憶媒体に記録する変更ステップと、
表示制御部が、前記変更ステップにより前記新たな第２コンテンツデータとして前記記憶媒体に記録後に第１コンテンツデータの一覧を表示部に表示する際に、前記所定コンテンツデータを他の第１コンテンツデータと異なる表示態様で表示、又は前記新たな第２コンテンツデータを前記記憶媒体に記録後に第２コンテンツデータの一覧を表示部に表示する際に、前記新たな第２コンテンツデータを他の第２コンテンツデータと異なる表示態様で表示する表示制御ステップと、
を含むことを特徴とする録画方法。
【発明の詳細な説明】
【技術分野】
【０００１】
本発明は、録画装置、及び方法に関する。
【背景技術】
【０００２】
従来から、ハードディスクなどの大容量記憶媒体を利用する録画装置において、通常の録画用の領域とは別の領域内で上書き録画を繰り返しながら番組などのコンテンツデータを録画する方式（以下、「ループ録画方式」と称する）が知られている。
【０００３】
また、ループ録画方式で録画された番組が上書きされることを防止するため、ループ録画方式で録画されたコンテンツデータを通常の録画用の領域に移動させる機能を有する録画装置も存在する（例えば、特許文献１参照）。
【先行技術文献】
【特許文献】
【０００４】
【特許文献１】特開２００８−１１４０２号公報
【発明の概要】
【発明が解決しようとする課題】
【０００５】
しかしながら、特許文献１に開示されているような従来技術では、録画方式が変更されたコンテンツデータを容易に把握することができない。
【０００６】
本発明は、上記事情に鑑みてなされたものであり、録画方式が変更されたコンテンツデータを容易に把握することができる録画装置、及び方法を提供することを目的とする。
【課題を解決するための手段】
【０００７】
上述した課題を解決し、目的を達成するために、本発明の一態様にかかる録画装置は、複数の第１コンテンツデータを同時に記憶媒体に録画する第１録画方式を有する第１録画部と、１つの第２コンテンツデータを前記記憶媒体に録画する第２録画方式を有する第２録画部と、前記記憶媒体に録画されている前記複数の第１コンテンツデータのうちの所定コンテンツデータを、新たな第２コンテンツデータとして前記記憶媒体に記録する変更部と、前記変更部が前記新たな第２コンテンツデータとして前記記憶媒体に記録後に第１コンテンツデータの一覧を表示部に表示する際に、前記所定コンテンツデータを他の第１コンテンツデータと異なる表示態様で表示、又は前記新たな第２コンテンツデータを前記記憶媒体に記録後に第２コンテンツデータの一覧を表示部に表示する際に、前記新たな第２コンテンツデータを他の第２コンテンツデータと異なる表示態様で表示する表示制御部と、を備えることを特徴とする。
【０００８】
また、本発明の別の態様にかかる録画方法は、第１録画部が、第１録画方式で複数の第１コンテンツデータを同時に記憶媒体に録画する第１録画ステップと、第２録画部が、第２録画方式で１つの第２コンテンツデータを前記記憶媒体に録画する第２録画ステップと、変更部が、前記記憶媒体に録画されている前記複数の第１コンテンツデータのうちの所定コンテンツデータを、新たな第２コンテンツデータとして前記記憶媒体に記録する変更ステップと、表示制御部が、前記変更ステップにより前記新たな第２コンテンツデータとして前記記憶媒体に記録後に第１コンテンツデータの一覧を表示部に表示する際に、前記所定コンテンツデータを他の第１コンテンツデータと異なる表示態様で表示、又は前記新たな第２コンテンツデータを前記記憶媒体に記録後に第２コンテンツデータの一覧を表示部に表示する際に、前記新たな第２コンテンツデータを他の第２コンテンツデータと異なる表示態様で表示する表示制御ステップと、を含むことを特徴とする。
【発明の効果】
【０００９】
本発明によれば、録画方式が変更されたコンテンツデータを容易に把握することができるという効果を奏する。
【図面の簡単な説明】
【００１０】
【図１】図１は、本実施形態のテレビジョン受信装置の構成例を示すブロック図である。
【図２】図２は、本実施形態のチューナの詳細構成例を示すブロック図である。
【図３】図３は、ループ録画方式で録画された番組の一覧の表示処理例を示すフローチャートである。
【図４】図４は、ループ録画領域に録画されている番組の一覧の表示例を示す図である。
【図５】図５は、ＰＶＲ録画領域へ番組を移動した後のループ録画領域に録画されている番組の一覧の表示例を示す図である。
【図６】図６は、ＰＶＲ録画方式の番組の一覧の表示処理例を示すフローチャートである。
【図７】図７は、ループ録画領域からＰＶＲ録画領域へ移動された番組がある場合のＰＶＲ録画領域に録画されている番組の一覧の表示例を示す図である。
【図８】図８は、ループ録画領域からＰＶＲ録画領域へ移動された番組がない場合のＰＶＲ録画領域に録画されている番組の一覧の表示例を示す図である。
【図９】図９は、ＰＶＲ録画領域へ番組をコピーした後のループ録画領域に録画されている番組の一覧の表示例を示す図である。
【図１０】図１０は、ＰＶＲ録画領域へ番組を移動した後のループ録画領域に録画されている番組の一覧の表示例の変形例を示す図である。
【発明を実施するための形態】
【００１１】
以下、添付図面を参照しながら、本発明にかかる録画装置、及び方法の実施の形態を詳細に説明する。なお本実施形態では、録画装置として、録画機能を備えたテレビジョン受信装置を例にとり説明するが、これに限定されるものではない。例えば、ＨＤＤ（Hard  Disk  Drive）レコーダやＨＤＤ+ＤＶＤ（Digital  Versatile  Disc）レコーダなどにも適用できる。
【００１２】
まず、本実施の形態のテレビジョン受信装置の構成について説明する。
【００１３】
図１は、本実施形態のテレビジョン受信装置１００の構成の一例を示すブロック図である。図１に示すように、テレビジョン受信装置１００は、チューナ部１０１、録画再生部１０５、ＨＤＤ１１０、ＥＰＧ（Electric  Program  Guide）処理部１１２、ＥＰＧメモリ１１３、ＭＰＥＧ（Moving  Picture  Experts  Group）デコーダ１１４、表示制御部１１５、リモコン受信部１１６、及びシステムコントローラ１１７を備える。
【００１４】
チューナ部１０１は、番組などのコンテンツデータや制御データが多重化されたトランスポートストリームを放送局から受信する。本実施の形態では、チューナ部１０１は、チューナ１０１−１〜１０１−Ｎ（Ｎは自然数）を備えており、それぞれＣｈ１〜ＣｈＮのチャンネルのトランスポートストリームを受信する。そして、チューナ１０１−１〜１０１−Ｎは、それぞれＣｈ１〜ＣｈＮのトランスポートストリームを録画再生部１０５及びＥＰＧ処理部１１２に出力する。
【００１５】
ここで、本実施形態のチューナ１０１−１〜１０１−Ｎの詳細について、チューナ１０１−１を例にとり説明する。なお、チューナ１０１−２〜１０１−Ｎの詳細については、チューナ１０１−１と同様であるため説明を省略する。
【００１６】
図２は、本実施形態のチューナ１０１−１の詳細構成の一例を示すブロック図である。図２に示すように、チューナ１０１−１は、選局部２０１と、分離部２０２と、デスクランブラ２０３と、分離部２０４と、ＩＣカード２０６とを備える。
【００１７】
選局部２０１は、アンテナ入力を選局し、選局したチャンネルのトランスポートストリームを分離部２０２及びデスクランブラ２０３に出力する。
【００１８】
分離部２０２は、選局部２０１から入力されたトランスポートストリームに多重されている制御データＥＣＭを分離し、分離した制御データＥＣＭをＩＣカード２０６に出力する。また、分離部２０２は、選局部２０１から入力されたトランスポートストリームを分離部２０４に出力する。分離部２０４は、分離部２０２から入力されたトランスポートストリームに多重されている制御データＥＭＭを分離し、分離した制御データＥＭＭをＩＣカード２０６に出力する。
【００１９】
ＩＣカード２０６は、分離部２０２から入力された制御データＥＣＭ及び分離部２０４から入力された制御データＥＭＭを用いてスクランブル鍵を復号する。デスクランブラ２０３は、ＩＣカード２０６で復号されたスクランブル鍵を用いてトランスポートストリームに多重されているコンテンツデータをデスクランブルし、出力する。
【００２０】
なお、本実施形態では、チューナ１０１−１〜１０１−ＮそれぞれにＩＣカード２０６が備えられているが、複数のチューナがＩＣカードを兼用するようにしてもよい。
【００２１】
図１に戻り、録画再生部１０５は、Ｃｈ１〜ＣｈＮのトランスポートストリームからコンテンツデータを抽出して、録画や再生を行うものであり、ループ録画部１０６と、ＰＶＲ録画部１０７と、変更部１０８と、再生部１０９とを備える。
【００２２】
ループ録画部１０６（第１録画部の一例）は、一定の時間が経過するとデータが消去されるループ録画方式（第１録画方式の一例）でＨＤＤ１１０にコンテンツデータを録画する。具体的には、ループ録画部１０６は、ＨＤＤ１１０のループ録画領域１１０Ａ（第１記憶領域の一例）の先頭から順にコンテンツデータを録画し、末尾まで録画すると、再度先頭から録画する。また、ループ録画部１０６は、ループ録画領域１１０Ａに録画されたコンテンツデータを一定の時間経過後に消去する。また、ループ録画部１０６は、ループ録画領域１１０Ａに録画されたコンテンツデータの容量が所定の容量を超えた場合に消去するようにしてもよい。
【００２３】
また、ループ録画部１０６は、後述のシステムコントローラ１１７からループ録画方式で録画を行う時間帯の指定を受け付け、指定された時間帯内にチューナ部１０１に受信される複数のコンテンツデータをループ録画方式でループ録画領域１１０Ａに録画する。また、ループ録画部１０６は、後述のシステムコントローラ１１７からループ録画方式で録画を行う複数のチャンネルの指定を受け付け、指定された複数のチャンネルの複数のコンテンツデータをループ録画方式でループ録画領域１１０Ａに録画する。
【００２４】
ＰＶＲ録画部１０７（第２録画部の一例）は、通常の録画方式であるＰＶＲ録画方式（第２録画方式の一例）でＨＤＤ１１０にコンテンツデータを録画する。具体的には、ＰＶＲ録画部１０７は、ＨＤＤ１１０のＰＶＲ録画領域１１０Ｂ（第２記憶領域の一例）にコンテンツデータを録画する。なお、ＰＶＲ録画部１０７は、後述のシステムコントローラ１１７から消去が指示されるまで、ＰＶＲ録画領域１１０Ｂに録画されたコンテンツデータを消去せず、保存する。
【００２５】
なお、ループ録画部１０６及びＰＶＲ録画部１０７は、コンテンツデータを録画した番組のチャンネルを示すチャンネル情報、コンテンツデータを録画した番組の番組名、コンテンツデータを録画した録画日時、コンテンツデータの再生履歴、及びコンテンツデータの残り移動回数や残りコピー回数などの情報をコンテンツデータに付加して、ＨＤＤ１１０への記録を行う。また本実施形態では、ループ録画領域１１０Ａ及びＰＶＲ録画領域１１０Ｂは、ＨＤＤ１１０内に確保されているが、ループ録画領域１１０Ａ及びＰＶＲ録画領域１１０Ｂを、それぞれ別々のＨＤＤに確保するようにしてもよい。
【００２６】
変更部１０８は、ループ録画方式で録画されたコンテンツデータの録画方式をＰＶＲ録画方式に変更する。具体的には、変更部１０８は、ループ録画領域１１０Ａに録画されているコンテンツデータをＰＶＲ録画領域１１０Ｂに移動したり、コピーしたりする。この際、変更部１０８は、コンテンツデータに付加されている残り移動回数や残りコピー回数を更新する。これにより、ループ録画領域１１０ＡからＰＶＲ録画領域１１０Ｂに移動又はコピーされたコンテンツデータを判別できる。
【００２７】
再生部１０９は、Ｃｈ１〜ＣｈＮのトランスポートストリームから抽出したコンテンツデータやＨＤＤ１１０に録画されたコンテンツデータを再生するため、ＭＰＥＧデコーダ１１４に出力する。
【００２８】
ＥＰＧ処理部１１２は、Ｃｈ１〜ＣｈＮのトランスポートストリームから、各チャンネルの各時間帯の番組を示す番組情報（ＳＩ情報）であるＥＰＧ情報を抽出し、ＥＰＧメモリ１１３に記憶する。また、ＥＰＧ処理部１１２は、ＥＰＧメモリ１１３に記憶されているＥＰＧ情報を常に新しい内容に更新するため、Ｃｈ１〜ＣｈＮのトランスポートストリームからＥＰＧ情報を抽出し、抽出したＥＰＧ情報でＥＰＧメモリ１１３に記憶されているＥＰＧ情報を更新する。
【００２９】
なお、本実施形態では、日本の地上デジタル放送のようにＣｈ１〜ＣｈＮの各トランスポートストリームから各チャンネルのＥＰＧ情報を抽出するものとするが、これに限定するものではない。例えば、ＢＳ（Broadcasting  Satellite）デジタル放送のように各チャンネルにＢＳ全チャンネルのＥＰＧ情報が多重されている場合もある。いずれにしても、ＥＰＧ処理部１１２は、自装置で受信可能なチャンネル数分のＥＰＧ情報を抽出し、ＥＰＧメモリ１１３に記憶する。
【００３０】
また、ＥＰＧ処理部１１２は、後述のシステムコントローラ１１７から番組表の表示指示を受け、ＥＰＧメモリ１１３に記憶されているＥＰＧ情報を取得し、取得したＥＰＧ情報をチャンネル毎に時系列に並べた番組表の番組表データを表示制御部１１５に出力する。
【００３１】
ＭＰＥＧデコーダ１１４は、録画再生部１０５から入力されたコンテンツデータにＭＰＥＧ２デコード処理を施し、表示制御部１１５に出力する。
【００３２】
表示制御部１１５は、ＥＰＧ処理部１１２から出力された番組表データやＭＰＥＧデコーダ１１４から出力されたコンテンツデータを、テレビジョン信号として、表示部１２０に出力する。
【００３３】
また本実施形態では、ループ録画方式で録画されたコンテンツデータの一覧は、ＥＰＧ処理部１１２により番組表形式で作成され、表示制御部１１５により表示部１２０に表示される。また、ＰＶＲ録画方式で録画されたコンテンツデータの一覧は、録画再生部１０５により作成され、表示制御部１１５により表示部１２０に表示される。
【００３４】
そして表示制御部１１５は、ループ録画方式で録画されたコンテンツデータの一覧、又はＰＶＲ録画方式で録画されたコンテンツデータの一覧を表示部１２０に表示する際、変更部１０８によりループ録画方式からＰＶＲ録画方式に変更されたコンテンツデータを他のコンテンツデータと異なる表示態様で表示する。
【００３５】
具体的には、表示制御部１１５は、ループ録画方式で録画されたコンテンツデータの一覧、又はＰＶＲ録画方式で録画されたコンテンツデータの一覧を表示部１２０に表示する際、ループ録画領域１１０ＡからＰＶＲ録画領域１１０Ｂに移動又はコピーされたコンテンツデータにマークなどのシンボルを付して表示する。
【００３６】
なお、ループ録画領域１１０ＡからＰＶＲ録画領域１１０Ｂに移動又はコピーされたコンテンツデータであるか否かは、録画再生部１０５がコンテンツデータに付加されている残り移動回数や残りコピー回数を参照することで判別できる。例えば、ダビング１０の場合、１回の移動、９回のコピーが可能であるため、ＰＶＲ録画領域１１０Ｂに録画されているコンテンツの残り移動回数が０である場合やループ録画領域１１０Ａに記録されているコンテンツの残りコピー回数が９未満であれば、ループ録画領域１１０ＡからＰＶＲ録画領域１１０Ｂに移動又はコピーされたコンテンツデータと判別できる。そして、後述のシステムコントローラ１１７が、録画再生部１０５からこの判別結果を受け、表示制御部１１５にコンテンツデータにマークなどを付して表示するか否かを指示する。
【００３７】
表示部１２０は、表示制御部１１５から入力されたテレビジョン信号に基づいて番組を表示したり、ループ録画方式で録画されたコンテンツデータの一覧やＰＶＲ録画方式で録画されたコンテンツデータの一覧を表示したりする。なお、表示部１２０は、液晶ディスプレイ、プラズマディスプレイ、又は有機ＥＬディスプレイなどにより実現できる。
【００３８】
リモコン受信部１１６は、リモコン１３０から、ループ録画方式で録画を行う時間帯やチャンネルの指定、ＰＶＲ録画方式での録画指示、ＰＶＲ録画方式で録画されたコンテンツデータの削除指示、ループ録画領域１１０ＡからＰＶＲ録画領域１１０Ｂへのコンテンツデータの移動やコピーの指示、ＨＤＤ１１０に録画されたコンテンツデータの再生指示、ループ録画領域１１０Ａに録画されている番組の一覧やＰＶＲ録画領域１１０Ｂに録画されている番組の一覧の表示指示などを受け付け、システムコントローラ１１７へ通知する。
【００３９】
システムコントローラ１１７は、テレビジョン受信装置１００全体を制御する。例えば、システムコントローラ１１７は、リモコン受信部１１６からの通知を受け、テレビジョン受信装置１００の各部にリモコン受信部１１６からの通知に応じた制御や指示を行う。
【００４０】
次に、本実施形態のテレビジョン受信装置１００の動作について説明する。以下では、ループ録画部１０６が６つの放送局Ａ〜Ｆ（チャンネル）の番組をループ録画方式でループ録画領域１１０Ａに録画する場合を例に取り、テレビジョン受信装置１００の動作を説明する。なお、この例では、ループ録画領域１１０Ａに録画された番組は、３日間保存でき、３日経過すると消去されるものとする。
【００４１】
図３は、ループ録画方式で録画された番組の一覧の表示処理の手順の流れの一例を示すフローチャートである。
【００４２】
まず、システムコントローラ１１７は、リモコン受信部１１６を介して、リモコン１３０からループ録画領域１１０Ａに録画されている番組の一覧の表示指示を受け付ける（ステップＳ１００）。
【００４３】
続いて、ＥＰＧ処理部１１２は、システムコントローラ１１７からの指示を受け、ループ録画領域１１０Ａに録画されている番組のＥＰＧ情報をＥＰＧメモリ１１３から取得し、表示制御部１１５は、ＥＰＧ処理部１１２により取得されたＥＰＧ情報をチャンネル毎に時系列に並べた番組表を、番組の一覧として、表示部１２０に表示する（ステップＳ１０２）。
【００４４】
図４は、ループ録画領域１１０Ａに録画されている番組の一覧の表示例を示す図である。図４に示す例では、放送局Ａ〜Ｆ毎にＰＭ５：３０からＰＭ１１：３０までに放送された番組を並べた番組一覧が、ＥＰＧ画面のような番組表形式で表示されている。つまり、図４に示す例では、放送局Ａ〜ＦでＰＭ５：３０からＰＭ１１：３０までに放送された番組がループ録画領域１１０Ａに記録されている。
【００４５】
続いて、システムコントローラ１１７は、リモコン受信部１１６を介して、リモコン１３０から番組表形式で表示されている番組一覧の中の所定の番組に対して、ループ録画領域１１０ＡからＰＶＲ録画領域１１０Ｂへの移動指示が行われたか否かを確認する（ステップＳ１０４）。
【００４６】
ループ録画領域１１０ＡからＰＶＲ録画領域１１０Ｂへの移動指示が確認された場合（ステップＳ１０４でＹｅｓ）、変更部１０８は、システムコントローラ１１７からの指示を受け、所定の番組をループ録画領域１１０ＡからＰＶＲ録画領域１１０Ｂへ移動する（ステップＳ１０６）。例えば、図４に示す番組３０１に対して、ループ録画領域１１０ＡからＰＶＲ録画領域１１０Ｂへの移動指示が確認された場合、変更部１０８は、番組３０１をループ録画領域１１０ＡからＰＶＲ録画領域１１０Ｂへ移動する。
【００４７】
続いて、表示制御部１１５は、システムコントローラ１１７からの指示を受け、番組一覧の中の所定の番組にＰＶＲ録画方式のマークを付して表示する（ステップＳ１０８）。
【００４８】
図５は、番組３０１をＰＶＲ録画領域１１０Ｂへ移動した後のループ録画領域１１０Ａに録画されている番組の一覧の表示例を示す図である。図５に示す例では、番組３０１がループ録画領域１１０ＡからＰＶＲ録画領域１１０Ｂへ移動されたため、番組３０１にＰＶＲ録画方式のマークが付されて表示されている。
【００４９】
なお、所定の番組に対して、ループ録画領域１１０ＡからＰＶＲ録画領域１１０Ｂへの移動指示が確認されなかった場合（ステップＳ１０４でＮｏ）、ステップＳ１０６、ステップＳ１０８の処理は行われない。
【００５０】
このように本実施形態では、ループ録画領域１１０Ａに録画されている番組一覧において、ループ録画領域１１０ＡからＰＶＲ録画領域１１０Ｂへ移動された番組にＰＶＲ録画方式のマークを付して表示しているため、ユーザはＰＶＲ録画領域１１０Ｂへ移動された番組及びその番組情報を同時に確認することができる。
【００５１】
図６は、ＰＶＲ録画方式の番組の一覧の表示処理の手順の流れの一例を示すフローチャートである。
【００５２】
まず、システムコントローラ１１７は、リモコン受信部１１６を介して、リモコン１３０からＰＶＲ録画領域１１０Ｂに録画されている番組の一覧の表示指示を受け付ける（ステップＳ２００）。
【００５３】
続いて、録画再生部１０５は、システムコントローラ１１７からの指示を受け、ＰＶＲ録画領域１１０Ｂに録画されている番組の中にループ録画領域１１０ＡからＰＶＲ録画領域１１０Ｂへ移動された所定の番組があるか否かを確認する（ステップＳ２０２）。
【００５４】
ループ録画領域１１０ＡからＰＶＲ録画領域１１０Ｂへ移動された所定の番組がある場合（ステップＳ２０２でＹｅｓ）、表示制御部１１５は、録画再生部１０５により作成されたＰＶＲ録画領域１１０Ｂに録画されている番組の一覧の中の所定の番組にループ録画方式のマークを付して表示する（ステップＳ２０４）。
【００５５】
図７は、ループ録画領域１１０ＡからＰＶＲ録画領域１１０Ｂへ移動された番組がある場合のＰＶＲ録画領域１１０Ｂに録画されている番組の一覧の表示例を示す図である。図７に示す例では、ＰＶＲ録画領域１１０Ｂに録画されている番組の一覧とカーソルで選択された番組の動画とが表示されており、番組３１１がループ録画領域１１０ＡからＰＶＲ録画領域１１０Ｂへ移動された番組であるため、番組３１１にループ録画方式のマークが付されて表示されている。また、番組３１１は、ＰＶＲ録画領域１１０Ｂに録画されている番組の一覧の先頭に表示されている。
【００５６】
ループ録画領域１１０ＡからＰＶＲ録画領域１１０Ｂへ移動された所定の番組がない場合には（ステップＳ２０２でＮｏ）、表示制御部１１５は、録画再生部１０５により作成されたＰＶＲ録画領域１１０Ｂに録画されている番組の一覧をそのまま表示する（ステップＳ２０６）。
【００５７】
図８は、ループ録画領域１１０ＡからＰＶＲ録画領域１１０Ｂへ移動された番組がない場合のＰＶＲ録画領域１１０Ｂに録画されている番組の一覧の表示例を示す図である。図８に示す例では、ループ録画領域１１０ＡからＰＶＲ録画領域１１０Ｂへ移動された番組がないため、いずれの番組にもループ録画方式のマークが付されずに表示されている。
【００５８】
このように本実施形態では、ＰＶＲ録画領域１１０Ｂに録画されている番組一覧において、ループ録画領域１１０ＡからＰＶＲ録画領域１１０Ｂへ移動された番組にループ録画方式のマークを付して表示しているため、ユーザはＰＶＲ録画領域１１０Ｂへ移動された番組及びその番組情報を同時に確認することができる。また、ループ録画領域１１０ＡからＰＶＲ録画領域１１０Ｂへ移動された番組は、番組一覧の先頭に表示されるため、ユーザは気づきやすい。
【００５９】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【００６０】
例えば、上記実施の形態では、ループ録画領域１１０ＡからＰＶＲ録画領域１１０Ｂへの番組の移動を例にとり説明したが、番組のコピーについても同様の手法で実現できる。
【００６１】
図９は、番組３０１をＰＶＲ録画領域１１０Ｂへコピーした後のループ録画領域１１０Ａに録画されている番組の一覧の表示例を示す図である。図９に示す例では、番組３０１がループ録画領域１１０ＡからＰＶＲ録画領域１１０Ｂへコピーされたため、番組３０１にコピー済みのマークが付されて表示されている。
【００６２】
このように、ループ録画領域１１０Ａに録画されている番組一覧において、ループ録画領域１１０ＡからＰＶＲ録画領域１１０Ｂへコピーされた番組にコピーのマークを付して表示すると、ユーザはＰＶＲ録画領域１１０Ｂへコピーされた番組及びその番組情報を同時に確認することができる。なお、コンテンツ保護の立場から、番組の移動かコピーか、あるいは、番組の移動は伴わずに管理情報だけを変更したのかに応じて、アイコンの表示態様を変更しても良いし、対象となっている番組欄の背景色を変更するようにしてもよい。
【００６３】
また例えば、上記実施の形態では、ループ録画領域１１０ＡからＰＶＲ録画領域１１０Ｂへコンテンツデータを移動した場合、ループ録画領域１１０Ａに録画されている番組の一覧でＰＶＲ録画領域１１０Ｂへ移動した番組にＰＶＲ録画方式のマークを付して表示したが、ＰＶＲ録画領域１１０Ｂへ移動した番組を表示しなくてもよい。
【００６４】
図１０は、番組３０１をＰＶＲ録画領域１１０Ｂへ移動した後のループ録画領域１１０Ａに録画されている番組の一覧の表示例を示す図である。図１０に示す例では、番組３０１がループ録画領域１１０ＡからＰＶＲ録画領域１１０Ｂへ移動されたため、番組３０１が表示されていない。
【００６５】
なお、上記実施の形態では、ループ録画領域１１０Ａに録画されている番組の一覧、及びＰＶＲ録画領域１１０Ｂに録画されている番組の一覧の両方で、ループ録画領域１１０ＡからＰＶＲ録画領域１１０Ｂへ移動された番組にマークを付して表示したが、どちらか一方の番組の一覧でのみ、マークを付して表示するようにしてもよい。
【符号の説明】
【００６６】
１００…テレビジョン受信装置、１０１…チューナ部、１０１−１〜１０１−Ｎ…チューナ、１０５…録画再生部、１０６…ループ録画部、１０７…ＰＶＲ録画部、１０８…変更部、１０９…再生部、１１０…ＨＤＤ、１１０Ａ…ループ録画領域、１１０Ｂ…ＰＶＲ録画領域、１１２…ＥＰＧ処理部、１１３…ＥＰＧメモリ、１１４…ＭＰＥＧデコーダ、１１５…表示制御部、１１６…リモコン受信部、１１７…システムコントローラ、１２０…表示部、１３０…リモコン、２０１…選局部、２０２…分離部、２０３…デスクランブラ、２０４…分離部、２０６…ＩＣカード
【図１】
2011055550.tif 000003
【図２】
2011055550.tif 000004
【図３】
2011055550.tif 000005
【図４】
2011055550.tif 000006
【図５】
2011055550.tif 000007
【図６】
2011055550.tif 000008
【図７】
2011055550.tif 000009
【図８】
2011055550.tif 000010
【図９】
2011055550.tif 000011
【図１０】
2011055550.tif 000012